【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
接続機器の電極端子に接続される接続端子を有する端子部と、
高さ方向における反対側に位置された天面及び底面と、
長さ方向における反対側で前記天面と前記底面の間に位置された前面及び後面と、
幅方向における反対側で前記天面と前記底面の間に位置された二つの側面と、
前記二つの側面それぞれに連続された二つの段差面と、
前記二つの段差面それぞれと前記底面とに連続された二つの溝形成面と、
前記二つの溝形成面それぞれに開口された被ガイド溝とを備え、
前記被ガイド溝全体が前記段差面より前記底面側に位置され、
前記溝形成面が前記後面に連続された
バッテリー。
【請求項２】
前記後面が前記長さ方向において最も外側に位置された
請求項１に記載のバッテリー。
【請求項３】
前記高さ方向における前記被ガイド溝と前記段差面との間に前記溝形成面の一部が位置された
請求項１又は請求項２に記載のバッテリー。
【請求項４】
前記長さ方向に離隔した複数の前記被ガイド溝を備えた
請求項１乃至請求項３の何れかに記載のバッテリー。
【請求項５】
前記溝形成面が前記前面から前記後面に亘って連続された
請求項１乃至請求項４の何れかに記載のバッテリー。
【請求項６】
前記段差面が前記前面から前記後面に亘って連続された
請求項１乃至請求項５の何れかに記載のバッテリー。
【請求項７】
前記二つの溝形成面それぞれに開口された挿入溝を備え、
前記挿入溝が前記高さ方向における前記底面と前記被ガイド溝の間に位置された
請求項１乃至請求項６の何れかに記載のバッテリー。
【請求項８】
前記挿入溝が前記被ガイド溝に連通され、前記挿入溝を形成する少なくとも一つの面が前記底面に連続された
請求項７に記載のバッテリー。
【請求項９】
前記二つの溝形成面の前記長さ方向の後端部が前記後面に近付くに従って前記幅方向に互いに近付くように形成された
請求項１乃至請求項８の何れかに記載のバッテリー。
【請求項１０】
前記二つの溝形成面の前記長さ方向の前端部が前記前面に近づくに従って前記幅方向に互いに近づくように形成された
請求項１乃至請求項９の何れかに記載のバッテリー。
【請求項１１】
前記二つの側面の幅方向における距離が前記二つの溝形成面の幅方向における距離よりも大きい
請求項１乃至請求項１０の何れかに記載のバッテリー。
【請求項１２】
前記端子部が前記長さ方向において前記後面より前記前面に近い位置に位置された
請求項１乃至請求項１１の何れかに記載のバッテリー。
【請求項１３】
前記接続端子と前記電極端子の接続方向に離隔した複数の前記被ガイド溝を備えた
請求項１乃至請求項１２の何れかに記載のバッテリー。
【請求項１４】
前記接続端子が配置された端子配置溝を備え、
前記端子配置溝を形成する面のうち最も前記天面側に位置する面が前記段差面より前記底面側に位置された
請求項１乃至請求項１３の何れかに記載のバッテリー。
【請求項１５】
前記接続端子が配置された端子配置溝を備え、
前記端子配置溝を形成する面のうち最も前記天面側に位置する面が前記被ガイド溝のうち最も前記底面側に位置する端縁より前記天面側に位置された
請求項１乃至請求項１４の何れかに記載のバッテリー。
【請求項１６】
前記端子配置溝が前記前面に向けて開口された
請求項１４又は請求項１５に記載のバッテリー。
【請求項１７】
前記二つの側面が第１の側面と第１の側面の幅方向における反対側に位置される第２の側面とを含み、
前記二つの溝形成面が前記底面に連続された第１の溝形成面と前記底面に連続された第２の溝形成面とを含み、
前記二つの段差面が前記第１の溝形成面と前記第１の側面とに連続された第１の段差面と前記第２の溝形成面と前記第２の側面とに連続された第２の段差面とを含み、
前記被ガイド溝が前記第１の溝形成面に開口された第１の被ガイド溝と前記第２の溝形成面に開口された第２の被ガイド溝とを含み、
前記第１の溝形成面と前記第２の溝形成面が前記後面に連続された
請求項１乃至請求項１７の何れかに記載のバッテリー。
【請求項１８】
少なくとも前記前面に開口された機能溝を備え、
前記機能溝を形成する面のうち最も前記天面側に位置する面が前記段差面より前記底面側に位置された
請求項１乃至請求項１７の何れかに記載のバッテリー。
【請求項１９】
少なくとも前記前面に開口された機能溝を備え、
前記機能溝を形成する面のうち最も前記天面側に位置する面が前記被ガイド溝のうち最も前記天面側に位置する面より前記底面側に位置された
請求項１乃至請求項１８の何れかに記載のバッテリー。
【請求項２０】
接続機器の電極端子に接続される接続端子を有する端子部と、
高さ方向における反対側に位置された天面及び底面と、
長さ方向における反対側で前記天面と前記底面の間に位置された前面及び後面と、
幅方向における反対側で前記天面と前記底面の間に位置された二つの側面と、
前記二つの側面それぞれに連続された二つの段差面と、
前記二つの段差面それぞれと前記底面とに連続された二つの溝形成面と、
前記二つの溝形成面それぞれに開口された被ガイド溝とを備えたバッテリーが着脱可能とされ、
前記バッテリーにおいて、前記被ガイド溝全体が前記段差面より前記底面側に位置され、
前記溝形成面が前記後面に連続された
接続機器。
【手続補正２】
【補正対象書類名】明細書
【補正対象項目名】０００９
【補正方法】変更
【補正の内容】
【０００９】
第１に、本技術に係るバッテリーは、接続機器の電極端子に接続される接続端子を有する端子部と、高さ方向における反対側に位置された天面及び底面と、長さ方向における反対側で前記天面と前記底面の間に位置された前面及び後面と、幅方向における反対側で前記天面と前記底面の間に位置された二つの側面と、前記二つの側面それぞれに連続された二つの段差面と、前記二つの段差面それぞれと前記底面とに連続された二つの溝形成面と、前記二つの溝形成面それぞれに開口された被ガイド溝とを備え、前記被ガイド溝全体が前記段差面より前記底面側に位置され、前記溝形成面が前記後面に連続されたものである。
【手続補正３】
【補正対象書類名】明細書
【補正対象項目名】００１０
【補正方法】変更
【補正の内容】
【００１０】
第２に、上記した本技術に係るバッテリーにおいては、前記後面が前記長さ方向において最も外側に位置されることが望ましい。
【手続補正４】
【補正対象書類名】明細書
【補正対象項目名】００１１
【補正方法】変更
【補正の内容】
【００１１】
第３に、上記した本技術に係るバッテリーにおいては、前記高さ方向における前記被ガイド溝と前記段差面との間に前記溝形成面の一部が位置されることが望ましい。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
第４に、上記した本技術に係るバッテリーにおいては、前記長さ方向に離隔した複数の前記被ガイド溝を備えることが望ましい。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
第５に、上記した本技術に係るバッテリーにおいては、前記溝形成面が前記前面から前記後面に亘って連続されることが望ましい。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
第６に、上記した本技術に係るバッテリーにおいては、前記段差面が前記前面から前記後面に亘って連続されることが望ましい。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
第７に、上記した本技術に係るバッテリーにおいては、前記二つの溝形成面それぞれに開口された挿入溝を備え、前記挿入溝が前記高さ方向における前記底面と前記被ガイド溝の間に位置されることが望ましい。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
第８に、上記した本技術に係るバッテリーにおいては、前記挿入溝が前記被ガイド溝に連通され、前記挿入溝を形成する少なくとも一つの面が前記底面に連続されることが望ましい。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
第９に、上記した本技術に係るバッテリーにおいては、前記二つの溝形成面の前記長さ方向の後端部が前記後面に近付くに従って前記幅方向に互いに近付くように形成されることが望ましい。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
第１０に、上記した本技術に係るバッテリーにおいては、前記二つの溝形成面の前記長さ方向の前端部が前記前面に近づくに従って前記幅方向に互いに近づくように形成されることが望ましい。
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
第１１に、上記した本技術に係るバッテリーにおいては、前記二つの側面の幅方向における距離が前記二つの溝形成面の幅方向における距離よりも大きいことが望ましい。
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
第１２に、上記した本技術に係るバッテリーにおいては、前記端子部が前記長さ方向において前記後面より前記前面に近い位置に位置されることが望ましい。
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】変更
【補正の内容】
【００３１】
第１３に、上記した本技術に係るバッテリーにおいては、前記接続端子と前記電極端子の接続方向に離隔した複数の前記被ガイド溝を備えることが望ましい。
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】変更
【補正の内容】
【００３３】
第１４に、上記した本技術に係るバッテリーにおいては、前記接続端子が配置された端子配置溝を備え、前記端子配置溝を形成する面のうち最も前記天面側に位置する面が前記段差面より前記底面側に位置されることが望ましい。
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】変更
【補正の内容】
【００３５】
第１５に、上記した本技術に係るバッテリーにおいては、前記接続端子が配置された端子配置溝を備え、前記端子配置溝を形成する面のうち最も前記天面側に位置する面が前記被ガイド溝のうち最も前記底面側に位置する端縁より前記天面側に位置されることが望ましい。
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】変更
【補正の内容】
【００３７】
第１６に、上記した本技術に係るバッテリーにおいては、前記端子配置溝が前記前面に向けて開口されることが望ましい。
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】変更
【補正の内容】
【００３９】
第１７に、上記した本技術に係るバッテリーにおいては、前記二つの側面が第１の側面と第１の側面の幅方向における反対側に位置される第２の側面とを含み、前記二つの溝形成面が前記底面に連続された第１の溝形成面と前記底面に連続された第２の溝形成面とを含み、前記二つの段差面が前記第１の溝形成面と前記第１の側面とに連続された第１の段差面と前記第２の溝形成面と前記第２の側面とに連続された第２の段差面とを含み、前記被ガイド溝が前記第１の溝形成面に開口された第１の被ガイド溝と前記第２の溝形成面に開口された第２の被ガイド溝とを含み、前記第１の溝形成面と前記第２の溝形成面が前記後面に連続されることが望ましい。
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】変更
【補正の内容】
【００４１】
第１８に、上記した本技術に係るバッテリーにおいては、少なくとも前記前面に開口された機能溝を備え、前記機能溝を形成する面のうち最も前記天面側に位置する面が前記段差面より前記底面側に位置されることが望ましい。
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】変更
【補正の内容】
【００４３】
第１９に、上記した本技術に係るバッテリーにおいては、少なくとも前記前面に開口された機能溝を備え、前記機能溝を形成する面のうち最も前記天面側に位置する面が前記被ガイド溝のうち最も前記天面側に位置する面より前記底面側に位置されることが望ましい。
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】変更
【補正の内容】
【００４５】
第２０に、上記した本技術に係る接続機器は、接続機器の電極端子に接続される接続端子を有する端子部と、高さ方向における反対側に位置された天面及び底面と、長さ方向における反対側で前記天面と前記底面の間に位置された前面及び後面と、幅方向における反対側で前記天面と前記底面の間に位置された二つの側面と、前記二つの側面それぞれに連続された二つの段差面と、前記二つの段差面それぞれと前記底面とに連続された二つの溝形成面と、前記二つの溝形成面それぞれに開口された被ガイド溝とを備えたバッテリーが着脱可能とされ、前記バッテリーにおいて、前記被ガイド溝全体が前記段差面より前記底面側に位置され、前記溝形成面が前記後面に連続されたものである。
【手続補正３９】
【補正対象書類名】明細書
【補正対象項目名】００４６
【補正方法】削除
【補正の内容】